(57)【特許請求の範囲】
【請求項１】
キャリアアグリゲーション技術におけるキャリア選択方法であって、
キャリアアグリゲーション（ＣＡ）ユーザ機器（ＵＥ）によって定期的に報告される無線チャネル情報を基地局が取得する段階であって、前記無線チャネル情報は、プライマリコンポーネントキャリア（ＰＣＣ）の無線チャネル情報およびセカンダリコンポーネントキャリア（ＳＣＣ）の無線チャネル情報を含む、段階と、
前記基地局が、前記ＳＣＣの前記無線チャネル情報を前記ＰＣＣの前記無線チャネル情報と定期的に比較し、前記ＳＣＣの前記無線チャネル情報が前記ＰＣＣの前記無線チャネル情報より大きいとき、無線リソース制御（ＲＲＣ）再設定メッセージを前記基地局が前記ＣＡ  ＵＥに送信する段階であって、前記ＲＲＣ再設定メッセージは、前記ＳＣＣを新しいＰＣＣとして使用するために前記ＣＡ  ＵＥによって使用される、段階と
を備え、
前記ＳＣＣの前記無線チャネル情報が前記ＰＣＣの前記無線チャネル情報より大きいことは、
第２の期間において、前記ＰＣＣの前記無線チャネル情報を前記ＳＣＣの前記無線チャネル情報から減算した後に得られる値が閾値より大きいことであり、
前記閾値は、前記無線チャネル情報のタイプに応じて予め設定される、
方法。
【請求項２】
前記ＳＣＣの前記無線チャネル情報が前記ＰＣＣの前記無線チャネル情報より大きいことは、
第１の期間において、前記ＳＣＣの前記無線チャネル情報が、前記ＰＣＣの前記無線チャネル情報より大きいことである、
請求項１に記載の方法。
【請求項３】
前記無線チャネル情報は、
チャネル品質指標（ＣＱＩ）、基準信号受信電力（ＲＳＲＰ）、または基準信号受信品質（ＲＳＲＱ）
のうちのいずれか１つである、
請求項１または２に記載の方法。
【請求項４】
前記無線チャネル情報は、
チャネル品質指標（ＣＱＩ）、基準信号受信電力（ＲＳＲＰ）、および基準信号受信品質（ＲＳＲＱ）
の組み合わせである、
請求項１または２に記載の方法。
【請求項５】
前記ＲＲＣ再設定メッセージは、前記ＰＣＣを新しいＳＣＣとして使用するために前記ＣＡ  ＵＥによってさらに使用される、請求項１から４の何れか一項に記載の方法。
【請求項６】
コンピュータに、請求項１から５の何れか一項に記載の方法を実行させるためのプログラム。
【請求項７】
キャリアアグリゲーション技術における基地局であって、
キャリアアグリゲーション（ＣＡ）ユーザ機器（ＵＥ）によって定期的に報告される無線チャネル情報を取得する送受信ユニットであって、前記無線チャネル情報は、プライマリコンポーネントキャリア（ＰＣＣ）の無線チャネル情報およびセカンダリコンポーネントキャリア（ＳＣＣ）の無線チャネル情報を含む、送受信ユニットと、
前記ＳＣＣの前記無線チャネル情報を前記ＰＣＣの前記無線チャネル情報と定期的に比較し、前記ＳＣＣの前記無線チャネル情報が前記ＰＣＣの前記無線チャネル情報より大きいとき、前記送受信ユニットを使用することによって、無線リソース制御（ＲＲＣ）再設定メッセージを前記ＣＡ  ＵＥに送信する処理ユニットであって、前記ＲＲＣ再設定メッセージは、前記ＳＣＣを新しいＰＣＣとして使用するために前記ＣＡ  ＵＥによって使用される、処理ユニットと
を備え、
前記ＳＣＣの前記無線チャネル情報が前記ＰＣＣの前記無線チャネル情報より大きいことは、
第２の期間において、前記ＰＣＣの前記無線チャネル情報を前記ＳＣＣの前記無線チャネル情報から減算した後に得られる値が閾値より大きいことであり、
前記閾値は、前記無線チャネル情報のタイプに応じて予め設定される、
基地局。
【請求項８】
前記ＳＣＣの前記無線チャネル情報が前記ＰＣＣの前記無線チャネル情報より大きいことは、
第１の期間において、前記ＳＣＣの前記無線チャネル情報が前記ＰＣＣの前記無線チャネル情報より大きいことである、
請求項７に記載の基地局。
【請求項９】
前記無線チャネル情報は、
チャネル品質指標（ＣＱＩ）、基準信号受信電力（ＲＳＲＰ）、または基準信号受信品質（ＲＳＲＱ）
のうちのいずれか１つである、
請求項７または８に記載の基地局。
【請求項１０】
前記無線チャネル情報は、
チャネル品質指標（ＣＱＩ）、基準信号受信電力（ＲＳＲＰ）、および基準信号受信品質（ＲＳＲＱ）
の組み合わせである、
請求項７または８に記載の基地局。
【請求項１１】
前記ＲＲＣ再設定メッセージは、前記ＰＣＣを新しいＳＣＣとして使用するために前記ＣＡ  ＵＥによってさらに使用される、請求項７から１０のいずれか一項に記載の基地局。
【発明の詳細な説明】
【技術分野】
【０００１】
本発明は無線通信技術分野に関し、具体的には、キャリアアグリゲーション技術におけるキャリア選択方法およびデバイスに関する。
【背景技術】
【０００２】
ロングタームエボリューション（Ｌｏｎｇ  Ｔｅｒｍ  Ｅｖｏｌｕｔｉｏｎ、ＬＴＥ）システムでは、最大帯域幅は２０ＭＨｚである。ロングタームエボリューションアドバンスド（ＬＴＥ−Ａｄｖａｎｃｅｄ、ＬＴＥ−Ａ）システムでは、ＬＴＥ−ＡシステムにおけるピークレートがＬＴＥシステムにおけるものと比較して格段に改善される。ＬＴＥ−Ａシステムにおいて、ピークレートは、ダウンリンクで１Ｇｂｐｓ、アップリンクで５００Ｍｂｐｓに達する必要がある。２０ＭＨｚの帯域幅がこの要件を満たすことができないのは明らかである。ＬＴＥ−Ａシステムがその要件を満たし得るよう、３ＧＰＰは、キャリアアグリゲーション・リリース１０は、（Ｃａｒｒｉｅｒ  Ａｇｇｒｅｇａｔｉｏｎ、ＣＡ）技術を規定した。すなわち、同一周波数帯域または異なる周波数帯域上の複数のキャリアが、より高い帯域幅を得るべく集約され、必要に応じてユーザ機器（ｕｓｅｒ  ｅｑｕｉｐｍｅｎｔ、ＵＥ）にサービスを提供して、必要なレートを提供する。ＣＡでは、リソース利用率を最大にすることができ、離散スペクトルリソースが効果的に利用され得る。
【０００３】
集約されたキャリアは、プライマリコンポーネントキャリア（Ｐｒｉｍａｒｙ  Ｃｏｍｐｏｎｅｎｔ  Ｃａｒｒｉｅｒ、ＰＣＣ）と、１または複数のセカンダリコンポーネントキャリア（Ｓｅｃｏｎｄａｒｙ  Ｃｏｍｐｏｎｅｎｔ  Ｃａｒｒｉｅｒ、ＳＣＣ）とを含む。プライマリコンポーネントキャリアおよびセカンダリコンポーネントキャリアの両方において、サービスデータおよび制御情報が送信され得る。プライマリコンポーネントキャリアに対応するセルがプライマリサービングセル（ｐｒｉｍａｒｙ  ｓｅｒｖｉｎｇ  ｃｅｌｌ、ＰＣｅｌｌ）であり、セカンダリコンポーネントキャリアに対応するセルがセカンダリサービングセル（Ｓｅｃｏｎｄａｒｙ  ｓｅｒｖｉｎｇ  Ｃｅｌｌ、ＳＣｅｌｌ）である。
【０００４】
３ＧＰＰ３６．３００によると、ＣＡ  ＵＥの場合、ＣＡ  ＵＥのプライマリサービングセルのみが物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）を有する。ＣＡ  ＵＥのプライマリサービングセルのＰＵＣＣＨチャネルは、例えば、アップリンク肯定応答（Ａｃｋｎｏｗｌｅｄｇｅｍｅｎｔ、ＡＣＫ）／否定応答（Ｎｅｇａｔｉｖｅ  Ａｃｋｎｏｗｌｅｄｇｅｍｅｎｔ、ＮＡＣＫ）、チャネル状態情報（Ｃｈａｎｎｅｌ  Ｓｔａｔｅ  Ｉｎｆｏｒｍａｔｉｏｎ、ＣＳＩ）、およびスケジューリング要求（Ｓｃｈｅｄｕｌｉｎｇ  Ｒｅｑｕｅｓｔ、ＳＲ）といったＣＡ  ＵＥの全てのプライマリサービングセルおよび全てのセカンダリサービングセルについての情報を保持する必要がある。ＣＡ  ＵＥのプライマリサービングセルは比較的重い負荷を有することが分かる。ＣＡ  ＵＥのプライマリサービングセルが過度に重い負荷を有する場合、輻輳が起こる場合があり、ＣＡ  ＵＥの性能は、アクセス成功率、再確立成功率、コールドロップ率、ハンドオーバ成功率、およびユーザレートなどの指標に深刻な影響を受ける。
【発明の概要】
【０００５】
ＣＡ  ＵＥの性能を改善すべく、本発明の実施形態は、キャリアアグリゲーション技術におけるキャリア選択方法およびデバイスを提供する。
【０００６】
第１態様によると、キャリアアグリゲーション技術におけるキャリア選択方法が提供される。当該方法は、ＣＡユーザ機器ＵＥによって報告される無線チャネル情報を基地局が取得する段階であって、無線チャネル情報は、ＰＣＣの無線チャネル情報およびＳＣＣの無線チャネル情報を含む、段階と、ＳＣＣの無線チャネル情報がＰＣＣの無線チャネル情報より大きいとき、ＲＲＣ再設定メッセージをＣＡ  ＵＥに基地局が送信する段階であって、ＲＲＣ再設定メッセージは、ＳＣＣを新しいＰＣＣとして使用するためにＣＡ  ＵＥによって使用される、段階とを備える。
【０００７】
任意選択で、ＣＡ  ＵＥは無線チャネル情報を基地局に定期的に報告し、基地局は、ＳＣＣの無線チャネル情報をＰＣＣの無線チャネル情報と定期的に比較する。ＳＣＣの無線チャネル情報およびＰＣＣの無線チャネル情報は、ＣＡ  ＵＥによって報告される。
【０００８】
第１態様に関連して、第１態様の第１の可能な実装例において、ＳＣＣの無線チャネル情報がＰＣＣの無線チャネル情報より大きいことは、具体的に、第１の期間において、ＳＣＣの無線チャネル情報がＰＣＣの無線チャネル情報より大きいことである。
【０００９】
第１態様に関連して、第１態様の第２の可能な実装例において、ＳＣＣの無線チャネル情報がＰＣＣの無線チャネル情報より大きいことは、具体的に、第２の期間において、ＰＣＣの無線チャネル情報をＳＣＣの無線チャネル情報から減算した後に得られる値が閾値より大きいことである。
【００１０】
第１態様から第１態様の第２の可能な実装例のいずれか１つに関連して、第１態様の第３の可能な実装例において、無線チャネル情報は、チャネル品質指標（Ｃｈａｎｎｅｌ  ｑｕａｌｉｔｙ  ｉｎｄｉｃａｔｏｒ、ＣＱＩ）、基準信号受信電力（Ｒｅｆｅｒｅｎｃｅ  Ｓｉｇｎａｌ  Ｒｅｃｅｉｖｅｄ  Ｐｏｗｅｒ、ＲＳＲＰ）、または基準信号受信品質（ｒｅｆｅｒｅｎｃｅ  ｓｉｇｎａｌ  ｒｅｃｅｉｖｅｄ  ｑｕａｌｉｔｙ、ＲＳＲＱうちのいずれか１つ、またはそれらの組み合わせである。
【００１１】
ＣＡ  ＵＥは、ＳＣＣを新しいＰＣＣとして直接使用してよい。任意選択で、ＣＡ  ＵＥはＳＣＣを測定する。測定結果が測定閾値を満たすとき、ＣＡ  ＵＥは、ＳＣＣを新しいＰＣＣとして使用する。
【００１２】
具体的に、ＣＡ  ＵＥがＳＣＣを測定することは、ＣＡ  ＵＥがＳＣＣのＲＳＲＰおよび／またはＲＳＲＱを測定することであってよく、測定結果が測定閾値を満たすことは、ＳＣＣの測定されたＲＳＲＰ値および／または測定されたＲＳＲＱ値が、測定閾値より大きいかまたはそれに等しいことであってよい。測定閾値は、予め設定された経験的な値である。
【００１３】
任意選択で、ＳＣＣが複数あるとき、ＣＡ  ＵＥは、複数のＳＣＣの無線チャネル情報を基地局に報告してよい。ＰＣＣの無線チャネル情報より無線チャネル情報が大きい２またはそれより多いＳＣＣがあると基地局が認識するとき、基地局によってＣＡ  ＵＥに送信されるＲＲＣ再設定メッセージは、２またはそれより多いＳＣＣについての情報を含んでよい。
【００１４】
２またはそれより多いＳＣＣについての情報を含むＲＲＣ再設定メッセージをＣＡ  ＵＥが受信したとき、ＣＡ  ＵＥは、ＲＲＣ再設定メッセージに情報が含まれる全てのＳＣＣから、測定結果が測定閾値を満たすいずれかのＳＣＣを新しいＰＣＣとして選択するか、または、ＣＡ  ＵＥは、ＲＲＣ再設定メッセージに情報が含まれる全てのＳＣＣから、最も大きな無線チャネル情報を有し、かつ測定結果が測定閾値を満たすＳＣＣを新しいＰＣＣとして選択する。
【００１５】
第１態様から第１態様の第３の可能な実装例のいずれか１つに関連して、第１態様の第４の可能な実装例において、ＲＲＣ再設定メッセージは、ＰＣＣを新しいＳＣＣとして使用するためにＣＡ  ＵＥによってさらに使用される。
【００１６】
ＲＲＣ再設定メッセージは、ＰＣＣの無線チャネル情報より無線チャネル情報が大きく、かつ基地局によって決定される１または複数のＳＣＣについての情報を含む。
【００１７】
基地局は、ＣＡ  ＵＥによって報告される無線チャネル情報を取得する。無線チャネル情報は、ＰＣＣの無線チャネル情報およびＳＣＣの無線チャネル情報を含む。ＳＣＣの無線チャネル情報がＰＣＣの無線チャネル情報より大きいとき、基地局は、ＲＲＣ再設定メッセージをＣＡ  ＵＥに送信する。ＲＲＣ再設定メッセージは、ＳＣＣを新しいＰＣＣとして使用するためにＣＡ  ＵＥによって使用される。このようにして、より良いキャリアがＰＣＣとして選択され、これにより、ＣＡ  ＵＥの性能が改善される。
【００１８】
第２態様によると、キャリアアグリゲーション技術におけるキャリア選択基地局が提供される。当該キャリア選択基地局は、ＣＡ  ＵＥによって報告される無線チャネル情報を取得するよう構成される送受信ユニットであって、無線チャネル情報は、ＰＣＣの無線チャネル情報およびＳＣＣの無線チャネル情報を含む、送受信ユニットと、ＳＣＣの無線チャネル情報がＰＣＣの無線チャネル情報より大きいとき、送受信ユニットを使用することによってＲＲＣ再設定メッセージをＣＡ  ＵＥに送信するよう構成される処理ユニットであって、ＲＲＣ再設定メッセージは、ＳＣＣを新しいＰＣＣとして使用するためにＣＡ  ＵＥによって使用される、処理ユニットとを備える。
【００１９】
第２態様に関連して、第２態様の第１の可能な実装例において、ＳＣＣの無線チャネル情報がＰＣＣの無線チャネル情報より大きいことは、具体的に、第１の期間において、ＳＣＣの無線チャネル情報がＰＣＣの無線チャネル情報より大きいことである。
【００２０】
第２態様に関連して、第２態様の第２の可能な実装例において、ＳＣＣの無線チャネル情報がＰＣＣの無線チャネル情報より大きいことは、具体的に、第２の期間において、ＰＣＣの無線チャネル情報をＳＣＣの無線チャネル情報から減算した後に得られる値が閾値より大きいことである。
【００２１】
第２態様から第２態様の第２の可能な実装例のいずれか１つに関連して、第２態様の第３の可能な実装例において、無線チャネル情報は、ＣＱＩ、ＲＳＲＰ、またはＲＳＲＱのうちのいずれか１つ、またはそれらの組み合わせである。
【００２２】
ＣＡ  ＵＥは、ＳＣＣを新しいＰＣＣとして直接使用してよい。任意選択で、ＣＡ  ＵＥはＳＣＣを測定する。測定結果が測定閾値を満たすとき、ＣＡ  ＵＥは、ＳＣＣを新しいＰＣＣとして使用する。
【００２３】
具体的に、ＣＡ  ＵＥがＳＣＣを測定することは、ＣＡ  ＵＥがＳＣＣのＲＳＲＰおよび／またはＲＳＲＱを測定することであってよく、測定結果が測定閾値を満たすことは、ＳＣＣの測定されたＲＳＲＰ値および／または測定されたＲＳＲＱ値が、測定閾値より大きいかまたはそれに等しいことであってよい。測定閾値は、予め設定された経験的な値である。
【００２４】
任意選択で、ＳＣＣが複数あるとき、ＣＡ  ＵＥは、複数のＳＣＣの無線チャネル情報を基地局に報告してよい。ＰＣＣの無線チャネル情報より無線チャネル情報が大きい２またはそれより多いＳＣＣがあると基地局が認識するとき、基地局によってＣＡ  ＵＥに送信されるＲＲＣ再設定メッセージは、２またはそれより多いＳＣＣについての情報を含んでよい。
【００２５】
２またはそれより多いＳＣＣについての情報を含むＲＲＣ再設定メッセージをＣＡ  ＵＥが受信したとき、ＣＡ  ＵＥは、ＲＲＣ再設定メッセージに情報が含まれる全てのＳＣＣから、測定結果が測定閾値を満たすいずれかのＳＣＣを新しいＰＣＣとして選択するか、または、ＣＡ  ＵＥは、ＲＲＣ再設定メッセージに情報が含まれる全てのＳＣＣから、最も大きな無線チャネル情報を有し、かつ測定結果が測定閾値を満たすＳＣＣを新しいＰＣＣとして選択する。
【００２６】
第２態様から第２態様の第３の可能な実装例のいずれか１つに関連して、第２態様の第４の可能な実装例において、ＲＲＣ再設定メッセージは、ＰＣＣを新しいＳＣＣとして使用するためにＣＡ  ＵＥによってさらに使用される。
【００２７】
基地局は、ＣＡ  ＵＥによって報告される無線チャネル情報を取得する。無線チャネル情報は、ＰＣＣの無線チャネル情報およびＳＣＣの無線チャネル情報を含む。ＳＣＣの無線チャネル情報がＰＣＣの無線チャネル情報より大きいとき、基地局は、ＲＲＣ再設定メッセージをＣＡ  ＵＥに送信する。ＲＲＣ再設定メッセージは、ＳＣＣを新しいＰＣＣとして使用するためにＣＡ  ＵＥによって使用される。このようにして、より良いキャリアがＰＣＣとして選択され、これにより、ＣＡ  ＵＥの性能が改善される。
【００２８】
第３態様によると、キャリアアグリゲーション技術におけるキャリア選択基地局が提供される。当該キャリア選択基地局は、メモリ内のプログラムを読み出して、ＣＡ  ＵＥによって報告される無線チャネル情報を、送受信機を使用することによって取得する手順であって、無線チャネル情報ＰＣＣの無線チャネル情報およびＳＣＣの無線チャネル情報を含む、手順と、ＳＣＣの無線チャネル情報がＰＣＣの無線チャネル情報より大きいとき、送受信機を使用することによってＲＲＣ再設定メッセージをＣＡ  ＵＥに送信する手順であって、ＲＲＣ再設定メッセージは、ＳＣＣを新しいＰＣＣとして使用するためにＣＡ  ＵＥによって使用される、手順とを実行するよう構成されるプロセッサを備える。
【００２９】
第３態様に関連して、第３態様の第１の可能な実装例において、ＳＣＣの無線チャネル情報がＰＣＣの無線チャネル情報より大きいことは、具体的に、第１の期間において、ＳＣＣの無線チャネル情報がＰＣＣの無線チャネル情報より大きいことである。
【００３０】
第３態様に関連して、第３態様の第２の可能な実装例において、ＳＣＣの無線チャネル情報がＰＣＣの無線チャネル情報より大きいことは、具体的に、第２の期間において、ＰＣＣの無線チャネル情報をＳＣＣの無線チャネル情報から減算した後に得られる値が閾値より大きいことである。
【００３１】
第３態様から第３態様の第２の可能な実装例のいずれか１つに関連して、第３態様の第３の可能な実装例において、無線チャネル情報は、ＣＱＩ、ＲＳＲＰ、またはＲＳＲＱのうちのいずれか１つ、またはそれらの組み合わせである。
【００３２】
第３態様から第３態様の第３の可能な実装例のいずれか１つに関連して、第３態様の第４の可能な実装例において、ＲＲＣ再設定メッセージは、ＰＣＣを新しいＳＣＣとして使用するためにＣＡ  ＵＥによってさらに使用される。
【００３３】
ＣＡ  ＵＥは、ＳＣＣを新しいＰＣＣとして直接使用してよい。任意選択で、ＣＡ  ＵＥはＳＣＣを測定する。測定結果が測定閾値を満たすとき、ＣＡ  ＵＥは、ＳＣＣを新しいＰＣＣとして使用する。
【００３４】
具体的に、ＣＡ  ＵＥがＳＣＣを測定することは、ＣＡ  ＵＥがＳＣＣのＲＳＲＰおよび／またはＲＳＲＱを測定することであってよく、測定結果が測定閾値を満たすことは、ＳＣＣの測定されたＲＳＲＰ値および／または測定されたＲＳＲＱ値が、測定閾値より大きいかまたはそれに等しいことであってよい。測定閾値は、予め設定された経験的な値である。
【００３５】
任意選択で、ＳＣＣが複数あるとき、ＣＡ  ＵＥは、複数のＳＣＣの無線チャネル情報を基地局に報告してよい。ＰＣＣの無線チャネル情報より無線チャネル情報が大きい２またはそれより多いＳＣＣがあると基地局が認識するとき、基地局によってＣＡ  ＵＥに送信されるＲＲＣ再設定メッセージは、２またはそれより多いＳＣＣについての情報を含んでよい。
【００３６】
２またはそれより多いＳＣＣについての情報を含むＲＲＣ再設定メッセージをＣＡ  ＵＥが受信したとき、ＣＡ  ＵＥは、ＲＲＣ再設定メッセージに情報が含まれる全てのＳＣＣから、測定結果が測定閾値を満たすいずれかのＳＣＣを新しいＰＣＣとして選択するか、または、ＣＡ  ＵＥは、ＲＲＣ再設定メッセージに情報が含まれる全てのＳＣＣから、最も大きな無線チャネル情報を有し、かつ測定結果が測定閾値を満たすＳＣＣを新しいＰＣＣとして選択する。
【００３７】
【００３８】
基地局は、ＣＡ  ＵＥによって報告される無線チャネル情報を取得する。無線チャネル情報は、ＰＣＣの無線チャネル情報およびＳＣＣの無線チャネル情報を含む。ＳＣＣの無線チャネル情報がＰＣＣの無線チャネル情報より大きいとき、基地局は、ＲＲＣ再設定メッセージをＣＡ  ＵＥに送信する。ＲＲＣ再設定メッセージは、ＳＣＣを新しいＰＣＣとして使用するためにＣＡ  ＵＥによって使用される。このようにして、より良いキャリアがＰＣＣとして選択され、これにより、ＣＡ  ＵＥの性能が改善される。
【００３９】
第４態様によると、キャリアアグリゲーション技術におけるキャリア選択方法が提供される。当該キャリア選択方法は、無線チャネル情報を基地局にキャリアアグリゲーションＣＡユーザ機器ＵＥが報告する段階であって、無線チャネル情報は、ＰＣＣの無線チャネル情報およびＳＣＣの無線チャネル情報を含む、段階と、基地局によって送信されるＲＲＣ再設定メッセージをＣＡ  ＵＥが受信する段階であって、ＲＲＣ再設定メッセージは、ＳＣＣの無線チャネル情報がＰＣＣの無線チャネル情報より大きいと基地局が決定したときに基地局によって送信される、段階と、ＳＣＣを新しいＰＣＣとしてＣＡ  ＵＥが使用する段階とを備える。
【００４０】
ＣＡ  ＵＥは、ＳＣＣを新しいＰＣＣとして直接使用してよい。任意選択で、ＣＡ  ＵＥはＳＣＣを測定する。測定結果が測定閾値を満たすとき、ＣＡ  ＵＥは、ＳＣＣを新しいＰＣＣとして使用する。
【００４１】
具体的に、ＣＡ  ＵＥがＳＣＣを測定することは、ＣＡ  ＵＥがＳＣＣのＲＳＲＰおよび／またはＲＳＲＱを測定することであってよく、測定結果が測定閾値を満たすことは、ＳＣＣの測定されたＲＳＲＰ値および／または測定されたＲＳＲＱ値が、測定閾値より大きいかまたはそれに等しいことであってよい。測定閾値は、予め設定された経験的な値である。
【００４２】
任意選択で、ＳＣＣが複数あるとき、ＣＡ  ＵＥは、複数のＳＣＣの無線チャネル情報を基地局に報告してよい。ＰＣＣの無線チャネル情報より無線チャネル情報が大きい２またはそれより多いＳＣＣがあると基地局が認識するとき、基地局によってＣＡ  ＵＥに送信されるＲＲＣ再設定メッセージは、２またはそれより多いＳＣＣについての情報を含んでよい。
【００４３】
２またはそれより多いＳＣＣについての情報を含むＲＲＣ再設定メッセージをＣＡ  ＵＥが受信したとき、ＣＡ  ＵＥは、ＲＲＣ再設定メッセージに情報が含まれる全てのＳＣＣから、測定結果が測定閾値を満たすいずれかのＳＣＣを新しいＰＣＣとして選択するか、または、ＣＡ  ＵＥは、ＲＲＣ再設定メッセージに情報が含まれる全てのＳＣＣから、最も大きな無線チャネル情報を有し、かつ測定結果が測定閾値を満たすＳＣＣを新しいＰＣＣとして選択する。
【００４４】
基地局は、ＣＡ  ＵＥによって報告される無線チャネル情報を取得する。無線チャネル情報は、ＰＣＣの無線チャネル情報およびＳＣＣの無線チャネル情報を含む。ＳＣＣの無線チャネル情報がＰＣＣの無線チャネル情報より大きいとき、基地局は、ＲＲＣ再設定メッセージをＣＡ  ＵＥに送信する。ＲＲＣ再設定メッセージは、ＳＣＣを新しいＰＣＣとして使用するためにＣＡ  ＵＥによって使用される。このようにして、より良いキャリアがＰＣＣとして選択され、これにより、ＣＡ  ＵＥの性能が改善される。
【００４５】
第５態様によると、キャリアアグリゲーション技術におけるキャリア選択方法が提供される。当該方法は、ＣＡ  ＵＥのＰＣＣの優先度およびＣＡ  ＵＥのＳＣＣの優先度を基地局が取得する段階を備える。複数の方式が具体的に含まれる。一方式において、ＰＣＣの優先度およびＳＣＣの優先度は基地局に予め格納され、基地局は、必要に応じて、予め格納されたＰＣＣの優先度および予め格納されたＳＣＣの優先度を読み出す。別の代替方式において、基地局はさらにネットワークインタフェースを含み、第１のキャリアの優先度が別のネットワークデバイスに格納され、基地局は、必要に応じて、ネットワークインタフェースを使用することによってＣＡ  ＵＥのＰＣＣの優先度およびＣＡ  ＵＥのＳＣＣの優先度を取得する。
【００４６】
ＳＣＣの優先度がＰＣＣの優先度より高いとき、基地局は、ＲＲＣ再設定メッセージをＣＡ  ＵＥに送信する。ＲＲＣ再設定メッセージは、ＳＣＣを新しいＰＣＣとして使用するためにＣＡ  ＵＥによって使用される。
【００４７】
ＲＲＣ再設定メッセージは、ＰＣＣの優先度より優先度が高く、かつ基地局によって決定される１または複数のＳＣＣについての情報を含む。
【００４８】
基地局はさらに、ＲＲＣ再設定メッセージに含まれるＳＣＣの優先度を示すために使用される指示情報をＣＡ  ＵＥに送信し、これにより、ＣＡ  ＵＥはＳＣＣを新しいＰＣＣとして使用する。  ＣＡ  ＵＥは、ＳＣＣを新しいＰＣＣとして直接使用してよい。任意選択で、ＣＡ  ＵＥはＳＣＣを測定する。測定結果が測定閾値を満たすとき、ＣＡ  ＵＥは、ＳＣＣを新しいＰＣＣとして使用し、または、測定結果が測定閾値を満たさないとき、ＣＡ  ＵＥは現在の方法手順を終了する。
【００４９】
任意選択で、ＰＣＣの優先度より優先度が高い２またはそれより多いＳＣＣがあると基地局が認識したとき、基地局によってＣＡ  ＵＥに送信されるＲＲＣ再設定メッセージはさらに、ＳＣＣの優先度の指示情報を含む。
【００５０】
２またはそれより多いＳＣＣについての情報を含むＲＲＣ再設定メッセージをＣＡ  ＵＥが受信したとき、ＣＡ  ＵＥは、ＲＲＣ再設定メッセージに情報が含まれる全てのＳＣＣから、測定結果が測定閾値を満たすいずれかのＳＣＣを新しいＰＣＣとして選択するか、または、ＣＡ  ＵＥは、ＲＲＣ再設定メッセージに情報が含まれる全てのＳＣＣの優先度を、ＲＲＣ再設定メッセージに含まれるＳＣＣの優先度の指示情報にしたがって決定してよく、これにより、ＣＡ  ＵＥは、ＲＲＣ再設定メッセージに情報が含まれる全てのＳＣＣから、最も高い優先度を有し、かつ測定結果が測定閾値を満たすＳＣＣを新しいＰＣＣとして選択する。
【００５１】
任意選択で、基地局において予め設定されたＰＣＣの優先度およびＳＣＣの優先度は、事業者または他の職員によって設定されてよく、その後、優先度設定情報は、上位層シグナリングを使用することによって、または通知方式で基地局に送信されるか、事業者または他の職員が、基地局に優先度設定情報を直接格納するか、または、優先度設定情報は、別の基地局、サーバ、または基地局がアクセス可能なデータベースに格納される。
【００５２】
優先度は、キャリアの帯域幅および／または周波数帯域にしたがって決定される。具体的には、優先度は、キャリアの帯域幅にしたがって、キャリアに対して設定されてよい。キャリアのより広い帯域幅は、キャリアのより高い優先度を示し、キャリアのより狭い帯域幅は、キャリアのより低い優先度を示す。あるいは、優先度は、キャリアの周波数帯域にしたがって、キャリアに対して設定される。キャリアのより低い周波数帯域は、キャリアのより高い優先度を示し、キャリアのより高い周波数帯域は、キャリアのより低い優先度を示す。あるいは、優先度は、キャリアの帯域幅および周波数帯域にしたがってキャリアに対して設定され、帯域幅および周波数帯域の各々に対して重み値が設定される。任意選択で、帯域幅の重み値は、周波数帯域の重み値より大きい。この場合、キャリアの優先度の決定において、帯域幅はより高い割合を占めてよい。任意選択で、周波数帯域の重み値は、帯域幅の重み値より大きい。この場合、キャリアの優先度の決定において、周波数帯域はより高い割合を占めてよい。
【００５３】
このようにして、ＣＡ  ＵＥのキャンプオンプロセスにおいて、高い優先度を有するコンポーネントキャリアがＣＡ  ＵＥのＰＣＣとして選択され、これにより、ＣＡ  ＵＥの性能が改善される。
【００５４】
第６態様によると、キャリアアグリゲーション技術におけるキャリア選択方法が提供される。当該方法は、基地局によって送信されるＲＲＣ再設定メッセージをＣＡ  ＵＥが受信する段階であって、ＲＲＣ再設定メッセージは、ＳＣＣの優先度がＰＣＣの優先度より高いと基地局が決定したとき、基地局によって送信される、段階と、ＳＣＣを新しいＰＣＣとしてＣＡ  ＵＥが使用する段階とを備える。
【００５５】
ＣＡ  ＵＥはさらに、ＲＲＣ再設定メッセージに含まれるＳＣＣの優先度を示すために使用される、基地局によって送信される指示情報を受信し、これにより、ＣＡ  ＵＥはＳＣＣを新しいＰＣＣとして使用する。具体的に、ＣＡ  ＵＥによって受信されたＲＲＣ再設定メッセージがただ１つのＳＣＣを含む場合、ＣＡ  ＵＥは、ＲＲＣ再設定メッセージに含まれるＳＣＣを測定する。測定結果が測定閾値を満たすとき、ＣＡ  ＵＥは、ＳＣＣを新しいＰＣＣとして使用する。
【００５６】
ＣＡ  ＵＥは、ＳＣＣを新しいＰＣＣとして直接使用してよい。任意選択で、ＣＡ  ＵＥはＳＣＣを測定する。測定結果が測定閾値を満たすとき、ＣＡ  ＵＥは、ＳＣＣを新しいＰＣＣとして使用し、または、測定結果が測定閾値を満たさないとき、ＣＡ  ＵＥは現在の方法手順を終了する。
【００５７】
任意選択で、ＰＣＣの優先度より優先度が高い２またはそれより多いＳＣＣがあると基地局が認識したとき、基地局によってＣＡ  ＵＥに送信されるＲＲＣ再設定メッセージはさらに、ＳＣＣの優先度の指示情報を含む。
【００５８】
２またはそれより多いＳＣＣについての情報を含むＲＲＣ再設定メッセージをＣＡ  ＵＥが受信したとき、ＣＡ  ＵＥは、ＲＲＣ再設定メッセージに情報が含まれる全てのＳＣＣから、測定結果が測定閾値を満たすいずれかのＳＣＣを新しいＰＣＣとして選択するか、または、ＣＡ  ＵＥは、ＲＲＣ再設定メッセージに情報が含まれる全てのＳＣＣの優先度を、ＲＲＣ再設定メッセージに含まれるＳＣＣの優先度の指示情報にしたがって決定してよく、これにより、ＣＡ  ＵＥは、ＲＲＣ再設定メッセージに情報が含まれる全てのＳＣＣから、最も高い優先度を有し、かつ測定結果が測定閾値を満たすＳＣＣを新しいＰＣＣとして選択する。
【００５９】
このようにして、ＣＡ  ＵＥのキャンプオンプロセスにおいて、高い優先度を有するコンポーネントキャリアがＣＡ  ＵＥのＰＣＣとして選択され、これにより、ＣＡ  ＵＥの性能が改善される。
【００６０】
第７態様によると、キャリアアグリゲーション技術におけるキャリア選択方法が提供される。当該方法は、キャリアアグリゲーションＣＡユーザ機器ＵＥが第１のキャリア上で基地局へのＲＲＣ接続を確立したとき、第１のキャリアの優先度を基地局が取得する段階を備える。複数の方式が具体的に含まれる。一方式において、第１のキャリアの優先度は基地局に予め格納され、基地局は、必要に応じて、予め格納された第１のキャリアの優先度を読み出す。別の代替方式において、基地局はさらにネットワークインタフェースを含み、第１のキャリアの優先度は別のネットワークデバイスに格納され、基地局は、必要に応じて、ネットワークインタフェースを使用することによってＣＡ  ＵＥの第１のキャリアの優先度を取得する。
【００６１】
第１のキャリアの優先度が第２のキャリアの優先度より低い場合、基地局はＲＲＣ再設定メッセージをＣＡ  ＵＥに送達する。ＲＲＣ再設定メッセージは、第２のキャリアについての情報を含む。ＲＲＣ再設定メッセージは、第２のキャリアを測定するためにＣＡ  ＵＥによって使用される。測定結果が測定閾値を満たすとき、第２のキャリアは、ＣＡ  ＵＥのＰＣＣとして使用される。第１のキャリアおよび第２のキャリアは、ＣＡを実行する際にＣＡ  ＵＥをサポートできるキャリアである。
【００６２】
具体的には、ＣＡ  ＵＥによって受信されたＲＲＣ再設定メッセージがただ１つの第２のキャリアを含む場合、ＣＡ  ＵＥは、ＲＲＣ再設定メッセージに含まれる第２のキャリアを測定する。測定結果が測定閾値を満たすとき、ＣＡ  ＵＥは、第２のキャリアをＰＣＣとして使用する。任意選択で、ＣＡ  ＵＥは、第２のキャリアをＰＣＣとして直接使用してよい。
【００６３】
ＣＡ  ＵＥによって受信されたＲＲＣ再設定メッセージが少なくとも２つの第２のキャリアを含む場合、一方式において、ＣＡ  ＵＥは、ＲＲＣ再設定メッセージに含まれる全ての第２のキャリアから、測定結果が測定閾値を満たすいずれかの第２のキャリアを新しいＰＣＣとして選択し、別の方式においては、ＣＡ  ＵＥは、ＲＲＣ再設定メッセージに含まれる全ての第２のキャリアから、最も高い優先度を有し、かつ測定結果が測定閾値を満たす第２のキャリアをＰＣＣとして選択する。別の方式において、当該方法はさらに、各第２のキャリアの優先度を示すために使用される、基地局によって送信される指示情報をＣＡ  ＵＥが受信する段階を備える。
【００６４】
ＣＡ  ＵＥが第１のキャリア上で基地局にキャンプオンすることを選んだとき、基地局は、第１のキャリアの優先度を取得することが分かる。第１のキャリアの優先度が第２のキャリアの優先度より低い場合、基地局は、ＲＲＣ再設定メッセージをＣＡ  ＵＥに送達する。ＲＲＣ再設定メッセージは、第２のキャリアについての情報を含む。ＣＡ  ＵＥは、第２のキャリアを測定する。測定結果が測定閾値を満たすとき、第２のキャリアは、ＣＡ  ＵＥのＰＣＣとして使用される。第１のキャリアおよび第２のキャリアは、ＣＡを実行する際にＣＡ  ＵＥをサポートできるキャリアである。このようにして、ＣＡ  ＵＥのキャンプオンプロセスにおいて、高い優先度を有するコンポーネントキャリアがＣＡ  ＵＥのＰＣＣとして選択され、これにより、ＣＡ  ＵＥの性能が改善される。
【００６５】
第８態様によると、キャリアアグリゲーション技術におけるキャリア選択方法が提供される。当該方法は、第１のキャリア上で基地局へのＲＲＣ接続をキャリアアグリゲーションＣＡユーザ機器ＵＥが確立する段階と、基地局によって送達されるＲＲＣ再設定メッセージをＣＡ  ＵＥが受信する段階であって、第１のキャリアの優先度が第２のキャリアの優先度より低いと基地局が決定したときＲＲＣ再設定メッセージは基地局によって送信され、ＲＲＣ再設定メッセージは、第２のキャリアについての情報を含む、段階と、第２のキャリアをＣＡ  ＵＥが測定し、測定結果が測定閾値を満たすとき、第２のキャリアをＣＡ  ＵＥのＰＣＣとして使用する段階であって、第１のキャリアおよび第２のキャリアは、ＣＡを実行する際にＣＡ  ＵＥをサポートできるキャリアである、段階とを備える。
【００６６】
具体的には、ＣＡ  ＵＥによって受信されたＲＲＣ再設定メッセージがただ１つの第２のキャリアを含む場合、ＣＡ  ＵＥは、ＲＲＣ再設定メッセージに含まれる第２のキャリアを測定する。測定結果が測定閾値を満たすとき、ＣＡ  ＵＥは、第２のキャリアをＰＣＣとして使用する。任意選択で、ＣＡ  ＵＥは、第２のキャリアをＰＣＣとして直接使用してよい。
【００６７】
ＣＡ  ＵＥによって受信されたＲＲＣ再設定メッセージが少なくとも２つの第２のキャリアを含む場合、一方式において、ＣＡ  ＵＥは、ＲＲＣ再設定メッセージに含まれる全ての第２のキャリアから、測定結果が測定閾値を満たすいずれかの第２のキャリアを新しいＰＣＣとして選択し、別の方式においては、ＣＡ  ＵＥは、ＲＲＣ再設定メッセージに含まれる全ての第２のキャリアから、最も高い優先度を有し、かつ測定結果が測定閾値を満たす第２のキャリアをＰＣＣとして選択する。別の方式において、当該方法はさらに、各第２のキャリアの優先度を示すために使用される、基地局によって送信される指示情報をＣＡ  ＵＥが受信する段階を備える。
【００６８】
このようにして、ＣＡ  ＵＥのキャンプオンプロセスにおいて、高い優先度を有するコンポーネントキャリアがＣＡ  ＵＥのＰＣＣとして選択され、これにより、ＣＡ  ＵＥの性能が改善される。
【００６９】
本発明の実施形態において、基地局は、ＣＡ  ＵＥによって報告される無線チャネル情報を取得する。無線チャネル情報は、ＰＣＣの無線チャネル情報およびＳＣＣの無線チャネル情報を含む。ＳＣＣの無線チャネル情報がＰＣＣの無線チャネル情報より大きいとき、基地局は、ＲＲＣ再設定メッセージをＣＡ  ＵＥに送信する。ＲＲＣ再設定メッセージは、ＳＣＣを新しいＰＣＣとして使用するためにＣＡ  ＵＥによって使用される。このようにして、より良いキャリアがＰＣＣとして選択され、これにより、ＣＡ  ＵＥの性能が改善される。
【図面の簡単な説明】
【００７０】
本発明の実施形態における技術的解決手段をより明確に説明すべく、実施形態を説明するために必要な添付の図面を以下で簡潔に説明する。以下の説明における添付の図面が本発明のいくつかの実施形態を示しているに過ぎず、当業者であれば、創造的な努力なしに、これらの添付の図面から他の図面をさらに導き出し得ることは明らかである。
【００７１】
【図１】本発明の一実施形態に係るキャリアアグリゲーション技術におけるキャリア選択方法の概略フローチャートである。
【００７２】
【図２ａ】本発明の一実施形態に係るキャリアアグリゲーション技術におけるキャリア選択方法の概略フローチャートである。
【００７３】
【図２ｂ】本発明の一実施形態に係るキャリアアグリゲーション技術における、キャリア選択方法の概略フローチャートである。
【００７４】
【図３ａ】本発明の一実施形態に係るキャリアアグリゲーション技術におけるキャリア選択基地局の概略構造図である。
【００７５】
【図３ｂ】本発明の一実施形態に係るキャリアアグリゲーション技術におけるキャリア選択ＣＡ  ＵＥの概略構造図である。
【００７６】
【図３ｃ】本発明の一実施形態に係るキャリアアグリゲーション技術におけるキャリア選択基地局の概略構造図である。
【００７７】
【図３ｄ】本発明の一実施形態に係るキャリアアグリゲーション技術におけるキャリア選択ＣＡ  ＵＥの概略構造図である。
【００７８】
【図３ｅ】本発明の一実施形態に係るキャリアアグリゲーション技術におけるキャリア選択基地局の概略構造図である。
【００７９】
【図３ｆ】本発明の一実施形態に係るキャリアアグリゲーション技術におけるキャリア選択ＣＡ  ＵＥの概略構造図である。
【００８０】
【図４ａ】本発明の一実施形態に係るキャリアアグリゲーション技術におけるキャリア選択基地局の概略構造図である。
【００８１】
【図４ｂ】本発明の一実施形態に係るキャリアアグリゲーション技術におけるキャリア選択ＣＡ  ＵＥの概略構造図である。
【００８２】
【図４ｃ】本発明の一実施形態に係るキャリアアグリゲーション技術におけるキャリア選択基地局の概略構造図である。
【００８３】
【図４ｄ】本発明の一実施形態に係るキャリアアグリゲーション技術におけるキャリア選択ＣＡ  ＵＥの概略構造図である。
【００８４】
【図４ｅ】本発明の一実施形態に係るキャリアアグリゲーション技術におけるキャリア選択基地局の概略構造図である。
【００８５】
【図４ｆ】本発明の一実施形態に係るキャリアアグリゲーション技術におけるキャリア選択ＣＡ  ＵＥの概略構造図である。
【発明を実施するための形態】
【００８６】
本発明の目的、技術的解決手段、および利点をより明確で、より分かり易いものにすべく、以下ではさらに、添付の図面および実施形態に関連して本発明を詳細に説明する。本明細書において説明される具体的な実施形態は、本発明を説明するために使用されるに過ぎず、本発明を限定するよう意図されてはいないことを理解されたい。
【００８７】
本発明の実施形態は、ＬＴＥと、キャリアアグリゲーション技術をサポートできる、例えば、デュアルキャリア（Ｄｕａｌ  Ｃａｒｒｉｅｒ）技術をサポートするユニバーサル移動通信システム地上波無線アクセスネットワーク（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ、ＵＴＲＡＮ）、または、ダウンリンクデュアルキャリア（Ｄｏｗｎｌｉｎｋ  Ｄｕａｌ  Ｃａｒｒｉｅｒ）技術をサポートするグローバルシステムフォーモバイルコミュニケーションズエンハンスドデータレートフォーＧＳＭ（登録商標）エボリューションラジオアクセスネットワーク（Ｇｌｏｂａｌ  Ｓｙｓｔｅｍ  ｆｏｒ  Ｍｏｂｉｌｅ  Ｃｏｍｍｕｎｉｃａｔｉｏｎｓ  Ｅｎｈａｎｃｅｄ  Ｄａｔａ  Ｒａｔｅｓ  ｆｏｒ  ＧＳＭ  Ｅｖｏｌｕｔｉｏｎ  Ｒａｄｉｏ  Ａｃｃｅｓｓ  Ｎｅｔｗｏｒｋ、ＧＥＲＡＮ）といった別のネットワークとに適用可能である。
【００８８】
本発明の実施形態において、用語「ＣＡ  ＵＥ」は具体的に、キャリアアグリゲーション（ｃａｒｒｉｅｒ  ａｇｇｒｅｇａｔｉｏｎ、ＣＡ）機能を有し、かつキャリアアグリゲーションを実行するユーザ機器である。用語「ユーザ機器」は、限定されないが、移動局、固定または移動の加入者ユニット、ページャ、セルラ電話、パーソナルデジタルアシスタント（Ｐｅｒｓｏｎａｌ  Ｄｉｇｉｔａｌ  Ａｓｓｉｓｔａｎｔ、ＰＤＡ）、コンピュータ、または無線環境において動作し得る任意の他のタイプのユーザ機器を含む。用語「基地局」は、限定されないが、基地局、ノード、局コントローラ、アクセスポイント（Ａｃｃｅｓｓ  ｐｏｉｎｔ、ＡＰ）、または無線環境において動作し得る任意の他のタイプのインタフェースデバイスを含む。用語「コンポーネントキャリア」は具体的に、ＣＡが実行され得るキャリアである。
【００８９】
本発明の実施形態は、局内ＣＡ、局間ＣＡ、ヘテロジニアスネットワークＣＡ、および同様のものに限定されない様々なＣＡシナリオに適用され得る。図１は、本発明の一実施形態に係るキャリアアグリゲーション技術におけるキャリア選択方法の概略フローチャートである。
【００９０】
図１に示されるように、本発明の本実施形態は、キャリアアグリゲーション技術におけるキャリア選択方法を提供し、以下の段階を備える。
【００９１】
段階１０１：基地局が、ＣＡ  ＵＥによって報告される無線チャネル情報を取得する。ここで、無線チャネル情報は、ＰＣＣの無線チャネル情報およびＳＣＣの無線チャネル情報を含む。
【００９２】
段階１０２：ＳＣＣの無線チャネル情報がＰＣＣの無線チャネル情報より大きいとき、基地局が、ＲＲＣ再設定メッセージをＣＡ  ＵＥに送信する。ここで、ＲＲＣ再設定メッセージは、ＳＣＣを新しいＰＣＣとして使用するためにＣＡ  ＵＥによって使用される。
【００９３】
任意選択で、無線チャネル情報は、ＣＱＩ、ＲＳＲＰ、または、ＲＳＲＱのうちのいずれか１つ、またはそれらの組み合わせである。
【００９４】
任意選択で、ＳＣＣの無線チャネル情報がＰＣＣの無線チャネル情報より大きいことは、第１の期間において、ＳＣＣの無線チャネル情報がＰＣＣの無線チャネル情報より大きいこと、または、第２の期間において、ＰＣＣの無線チャネル情報をＳＣＣの無線チャネル情報から減算した後に得られる値が閾値より大きいことである。
【００９５】
第１の期間および第２の期間は、予め設定された経験的な値である。第１の期間は、第２の期間と同一であってよく、または第２の期間とは異なっていてよい。当業者は、具体的な動作環境、または無線チャネル情報のタイプに応じて上述の閾値を予め設定する。
【００９６】
任意選択で、ＲＲＣ再設定メッセージは、ＰＣＣを新しいＳＣＣとして使用するためにＣＡ  ＵＥによってさらに使用される。
【００９７】
上述した方法手順をより詳細に説明すべく、図２ａに示されるように、図２ａは、本発明の一実施形態に係るキャリアアグリゲーション技術におけるキャリア選択方法の概略フローチャートである。
【００９８】
段階２１０１：ＣＡ  ＵＥが、無線チャネル情報を基地局に報告する。ここで、無線チャネル情報は、ＰＣＣの無線チャネル情報およびＳＣＣの無線チャネル情報を含む。任意選択で、ＣＡ  ＵＥは、無線チャネル情報を基地局に定期的に報告する。
【００９９】
段階２１０２：基地局が、ＳＣＣの無線チャネル情報をＰＣＣの無線チャネル情報と比較し、ＳＣＣの無線チャネル情報がＰＣＣの無線チャネル情報より大きいとき、段階２１０６を実行すると決定する。ここで、ＳＣＣの無線チャネル情報およびＰＣＣの無線チャネル情報は、ＣＡ  ＵＥによって報告される。
【０１００】
任意選択で、ＣＡ  ＵＥが無線チャネル情報を基地局に定期的に報告したとき、基地局は、ＳＣＣの無線チャネル情報をＰＣＣの無線チャネル情報と定期的に比較する。ＳＣＣの無線チャネル情報およびＰＣＣの無線チャネル情報は、ＣＡ  ＵＥによって報告される。
【０１０１】
段階２１０３：基地局が、ＲＲＣ再設定メッセージをＣＡ  ＵＥに送信する。ここで、ＲＲＣ再設定メッセージは、ＰＣＣの無線チャネル情報より無線チャネル情報が大きく、かつ基地局によって決定されるＳＣＣについての情報を含む。具体的に、ＳＣＣについての情報は、ＳＣＣの周波数チャネル番号、またはＳＣＣを識別するための他の情報であってよい。
【０１０２】
段階２１０４：ＣＡ  ＵＥが、基地局によって送信されるＲＲＣ再設定メッセージを受信する。
【０１０３】
段階２１０５：ＣＡ  ＵＥが、ＳＣＣを新しいＰＣＣとして使用する。
【０１０４】
ＣＡ  ＵＥは、ＳＣＣを新しいＰＣＣとして直接使用してよい。任意選択で、ＣＡ  ＵＥはＳＣＣを測定する。測定結果が測定閾値を満たすとき、ＣＡ  ＵＥは、ＳＣＣを新しいＰＣＣとして使用し、または、測定結果が測定閾値を満たさないとき、ＣＡ  ＵＥは現在の方法手順を終了する。
【０１０５】
具体的に、ＣＡ  ＵＥがＳＣＣを測定することは、ＣＡ  ＵＥがＳＣＣのＲＳＲＰおよび／またはＲＳＲＱを測定することであってよく、測定結果が測定閾値を満たすことは、ＳＣＣの測定されたＲＳＲＰ値および／または測定されたＲＳＲＱ値が、測定閾値より大きいかまたはそれに等しいことであってよい。測定閾値は、予め設定された経験的な値である。
【０１０６】
任意選択で、ＳＣＣが複数あるとき、ＣＡ  ＵＥは、複数のＳＣＣの無線チャネル情報を基地局に報告してよい。ＰＣＣの無線チャネル情報より無線チャネル情報が大きい２またはそれより多いＳＣＣがあると基地局が認識するとき、基地局によってＣＡ  ＵＥに送信されるＲＲＣ再設定メッセージは、２またはそれより多いＳＣＣについての情報を含んでよい。
【０１０７】
２またはそれより多いＳＣＣについての情報を含むＲＲＣ再設定メッセージをＣＡ  ＵＥが受信したとき、ＣＡ  ＵＥは、ＲＲＣ再設定メッセージに情報が含まれる全てのＳＣＣから、測定結果が測定閾値を満たすいずれかのＳＣＣを新しいＰＣＣとして選択するか、または、ＣＡ  ＵＥは、ＲＲＣ再設定メッセージに情報が含まれる全てのＳＣＣから、最も大きな無線チャネル情報を有し、かつ測定結果が測定閾値を満たすＳＣＣを新しいＰＣＣとして選択する。
【０１０８】
任意選択で、当該方法は、さらに以下の段階を備える。
【０１０９】
段階２１０６：ＣＡ  ＵＥによって受信されたＲＲＣ再設定メッセージが、ＰＣＣを新しいＳＣＣとして使用するためにＣＡ  ＵＥによってさらに使用される。
【０１１０】
上述した方法をより明確に説明すべく、本発明の本実施形態では、キャリアアグリゲーションに５つのキャリアが使用される例を使用して説明する。
【０１１１】
現在、ＣＡ  ＵＥは、キャリアＦ１、キャリアＦ２、キャリアＦ３、キャリアＦ４、およびキャリアＦ５という５つのキャリアを、リッスンすることによって取得する。ＣＡ  ＵＥは現在、キャリアＦ４にキャンプオンしている。キャリアＦ４はＣＡ  ＵＥの現在のＰＣＣであり、キャリアＦ１、キャリアＦ２、キャリアＦ３、およびキャリアＦ５は、ＣＡ  ＵＥのＳＣＣである。
【０１１２】
ＣＡ  ＵＥは、無線チャネル情報、すなわち、キャリアＦ１、キャリアＦ２、キャリアＦ３、キャリアＦ４、およびキャリアＦ５のＣＱＩを基地局に報告する。チャネル品質の降順に、キャリアＦ１、キャリアＦ２、キャリアＦ３、キャリアＦ４、およびキャリアＦ５を含む５つのキャリアは、キャリアＦ１、キャリアＦ２、キャリアＦ３、キャリアＦ４、およびキャリアＦ５のように順序付けられる。すなわち、キャリアＦ１が最高のチャネル品質を有し、キャリアＦ５が最低のチャネル品質を有する。
【０１１３】
第２の期間において、基地局は、ＰＣＣのＣＱＩを各ＳＣＣのＣＱＩから減算した後に得られる値を取得する。
【０１１４】
例えば、ＰＣＣの無線チャネル情報をＳＣＣの無線チャネル情報から減算した後に得られる値が閾値より大きいＳＣＣが、キャリアＦ１、キャリアＦ２、およびキャリアＦ３であると基地局は決定する。
【０１１５】
基地局は、ＲＲＣ再設定メッセージをＣＡ  ＵＥに送信する。ＲＲＣ再設定メッセージは、キャリアＦ１、キャリアＦ２、およびキャリアＦ３についての情報を含む。例えば、当該情報は、キャリアＦ１の周波数チャネル番号、キャリアＦ２の周波数チャネル番号、およびキャリアＦ３の周波数チャネル番号であってよい。
【０１１６】
ＣＡ  ＵＥは、キャリアＦ１のＲＳＲＰ、キャリアＦ２のＲＳＲＰ、およびキャリアＦ３のＲＳＲＰを測定する。キャリアＦ１、キャリアＦ２、およびキャリアＦ３の測定結果は全て、測定閾値を満たす。ＣＡ  ＵＥは、測定閾値を満たす全てのＳＣＣの中の最も大きな無線チャネル情報を有するＳＣＣ、すなわち、キャリアＦ１を新しいＰＣＣとして使用する。ＣＡ  ＵＥはキャリアＦ１にキャンプオンし、キャリアＦ４を新しいＳＣＣとして使用する。
【０１１７】
ＣＡ  ＵＥによって報告されるＰＣＣの無線チャネル情報およびＳＣＣの無線チャネル情報を基地局が取得することが分かる。ＳＣＣの無線チャネル情報がＰＣＣの無線チャネル情報より大きいとき、基地局は、ＲＲＣ再設定メッセージをＣＡ  ＵＥに送信し、これにより、ＣＡ  ＵＥはＳＣＣを新しいＰＣＣとして使用する。より良いキャリアがＰＣＣとして選択され、これにより、アクセス成功率、再確立成功率、コールドロップ率、ハンドオーバ成功率、およびユーザレートなどの指標において、ＣＡ  ＵＥの性能が改善される。ユーザエクスペリエンスもまた改善され、ネットワークのキーパフォーマンス指標（Ｋｅｙ  Ｐｅｒｆｏｒｍａｎｃｅ  Ｉｎｄｉｃａｔｏｒ、ＫＰＩ）が改善される。
【０１１８】
上述した方法において、基地局は、異なるコンポーネントキャリアの無線チャネル情報を取得して、より良いキャリアをＣＡ  ＵＥのプライマリコンポーネントキャリアとして選択する。任意選択で、基地局は、異なるコンポーネントキャリアの優先度情報を取得し、コンポーネントキャリアの優先度にしたがって、高い優先度を有するキャリアをＣＡ  ＵＥのプライマリコンポーネントキャリアとして選択してよい。
【０１１９】
具体的には、基地局は、ＣＡ  ＵＥのＰＣＣの優先度およびＣＡ  ＵＥのＳＣＣの優先度を取得する。基地局は、ＣＡ  ＵＥのＳＣＣの優先度をＣＡ  ＵＥのＰＣＣの優先度と比較し、ＳＣＣの優先度がＰＣＣの優先度より高いと決定したとき、ＲＲＣ再設定メッセージをＣＡ  ＵＥに送信する。ＲＲＣ再設定メッセージは、ＰＣＣの優先度より優先度が高いＳＣＣについての情報を含む。ＣＡ  ＵＥは、基地局によって送信されるＲＲＣ再設定メッセージを受信し、ＳＣＣを新しいＰＣＣとして使用する。任意選択で、ＣＡ  ＵＥは、ＰＣＣを新しいＳＣＣとして使用する。ＲＲＣ再設定メッセージはさらに、ＳＣＣの優先度の指示情報を含む。
【０１２０】
上述した方法手順において、ＣＡ  ＵＥは、ＳＣＣを新しいＰＣＣとして直接使用してよい。任意選択で、ＣＡ  ＵＥはＳＣＣを測定する。測定結果が測定閾値を満たすとき、ＣＡ  ＵＥは、ＳＣＣを新しいＰＣＣとして使用し、または、測定結果が測定閾値を満たさないとき、ＣＡ  ＵＥは現在の方法手順を終了する。
【０１２１】
任意選択で、ＰＣＣの優先度より優先度が高い２またはそれより多いＳＣＣがあると基地局が認識したとき、基地局によってＣＡ  ＵＥに送信されるＲＲＣ再設定メッセージはさらに、ＳＣＣの優先度の指示情報を含む。
【０１２２】
２またはそれより多いＳＣＣについての情報を含むＲＲＣ再設定メッセージをＣＡ  ＵＥが受信したとき、ＣＡ  ＵＥは、ＲＲＣ再設定メッセージに情報が含まれる全てのＳＣＣから、測定結果が測定閾値を満たすいずれかのＳＣＣを新しいＰＣＣとして選択するか、または、ＣＡ  ＵＥは、ＲＲＣ再設定メッセージに情報が含まれる全てのＳＣＣの優先度を、ＲＲＣ再設定メッセージに含まれるＳＣＣの優先度の指示情報にしたがって決定してよく、これにより、ＣＡ  ＵＥは、ＲＲＣ再設定メッセージに情報が含まれる全てのＳＣＣから、最も高い優先度を有し、かつ測定結果が測定閾値を満たすＳＣＣを新しいＰＣＣとして選択する。
【０１２３】
任意選択で、基地局において予め設定されたＰＣＣの優先度およびＳＣＣの優先度は、事業者または他の職員によって設定されてよく、その後、優先度設定情報は、上位層シグナリングを使用することによって、または通知方式で基地局に送信されるか、事業者または他の職員が、基地局に優先度設定情報を直接格納するか、または、優先度設定情報は、別の基地局、サーバ、または基地局がアクセス可能なデータベースに格納される。
【０１２４】
優先度は、キャリアの帯域幅および／または周波数帯域にしたがって決定される。具体的に、優先度は、キャリアの帯域幅にしたがってキャリアに対して設定されてよい。キャリアのより広い帯域幅は、キャリアのより高い優先度を示し、キャリアのより狭い帯域幅は、キャリアのより低い優先度を示す。あるいは、優先度は、キャリアの周波数帯域にしたがってキャリアに対して設定される。キャリアのより低い周波数帯域は、キャリアのより高い優先度を示し、キャリアのより高い周波数帯域は、キャリアのより低い優先度を示す。あるいは、優先度は、キャリアの帯域幅および周波数帯域にしたがってキャリアに対して設定され、帯域幅および周波数帯域の各々に対して重み値が設定される。任意選択で、帯域幅の重み値は、周波数帯域の重み値より大きい。この場合、キャリアの優先度の決定において、帯域幅はより高い割合を占めてよい。任意選択で、周波数帯域の重み値は、帯域幅の重み値より大きい。この場合、キャリアの優先度の決定において、周波数帯域はより高い割合を占めてよい。
【０１２５】
上述した方法手順をより明確に説明すべく、本発明の本実施形態は以下の例を提供する。
【０１２６】
事業者が、キャリアＦ１、キャリアＦ２、キャリアＦ３、…、キャリアＦｘというＸ個のキャリアを有する。事業者は、Ｘ個のキャリアをキャリアアグリゲーションが実行され得るキャリアとして設定し、Ｘ個のキャリアの優先度を設定する。事業者は、Ｘ個のキャリアの帯域幅にしたがって、各キャリアの優先度を設定する。優先度の降順に、Ｘ個のキャリアは、キャリアＦ１、キャリアＦ２、キャリアＦ３、…、キャリアＦｘのように順序付けられる。すなわち、キャリアＦ１が最も高い優先度を有し、キャリアＦｘが最も低い優先度を有する。
【０１２７】
事業者は、上位層のシグナリングを使用することによって、キャリアの優先度を基地局に送信する。
【０１２８】
現在、ＣＡユーザ機器は、キャリアＦ１、キャリアＦ２、キャリアＦ３、キャリアＦ４、およびキャリアＦ５という５つのキャリアを、リッスンすることによって取得する。ＣＡ  ＵＥは現在、キャリアＦ４にキャンプオンしており、キャリアＦ４は、ＣＡ  ＵＥの現在のＰＣＣである。キャリアＦ１、キャリアＦ２、キャリアＦ３、およびキャリアＦ５は、ＣＡ  ＵＥのＳＣＣである。
【０１２９】
基地局はキャリアＦ１、キャリアＦ２、キャリアＦ３、キャリアＦ４、およびキャリアＦ５の優先度を取得し、ＳＣＣの優先度がＰＣＣの優先度より高いか否かを判断する。ＰＣＣの優先度より優先度が高いＳＣＣがあると決定したとき、基地局は、再設定情報をＣＡ  ＵＥに送信する。この場合、基地局は、ＰＣＣの優先度より優先度が高いＳＣＣがキャリアＦ１、キャリアＦ２、およびキャリアＦ３であると決定する。
【０１３０】
基地局は、ＲＲＣ再設定メッセージをＣＡ  ＵＥに送信する。ＲＲＣ再設定メッセージは、キャリアＦ１、キャリアＦ２、およびキャリアＦ３についての情報を含む。例えば、当該情報は、キャリアＦ１の周波数チャネル番号、キャリアＦ２の周波数チャネル番号、およびキャリアＦ３の周波数チャネル番号であってよい。基地局はさらに、ＳＣＣの優先度を示すために使用される指示情報をＣＡ  ＵＥに送信する。具体的には、ＳＣＣの優先度を示すために使用される指示情報は、キャリアＦ１の優先度が最も高く、キャリアＦ２の優先度は、キャリアＦ１の優先度より低く、かつキャリアＦ３の優先度より高く、キャリアＦ３の優先度は最も低いというものであってよい。
【０１３１】
ＣＡ  ＵＥは、キャリアＦ１のＲＳＲＰ、キャリアＦ２のＲＳＲＰ、およびキャリアＦ３のＲＳＲＰを測定する。キャリアＦ１、キャリアＦ２、およびキャリアＦ３の測定結果は全て、測定閾値を満たす。ＣＡ  ＵＥは、測定閾値を満たす全てのＳＣＣの中で最も高い優先度を有するＳＣＣ、すなわち、キャリアＦ１を新しいＰＣＣとして使用する。
【０１３２】
ＣＡ  ＵＥのキャンプオンプロセスにおいて、基地局は、コンポーネントキャリアの優先度にしたがってＣＡ  ＵＥのＰＣＣを選択してよい。
【０１３３】
図２ｂは、本発明の一実施形態に係るキャリアアグリゲーション技術におけるキャリア選択方法の概略フローチャートである。図２ｂに示されるように、本発明の本実施形態は、キャリアアグリゲーション技術におけるキャリア選択方法を提供し、当該方法は、以下の段階を備える。
【０１３４】
段階２２０１：ＣＡ  ＵＥが、第１のキャリア上で基地局へのＲＲＣ接続を確立する。
【０１３５】
段階２２０２：基地局が、第１のキャリアの優先度を取得する。
【０１３６】
段階２２０３：基地局が、第２のキャリアの優先度を取得する。ここで、第１のキャリアおよび第２のキャリアは、ＣＡを実行する際にＣＡ  ＵＥをサポートできるキャリアである。
【０１３７】
段階２２０４：基地局が、第１のキャリアの優先度を第２のキャリアの優先度と比較し、第１のキャリアの優先度が第２のキャリアの優先度より低い場合、基地局はＲＲＣ再設定メッセージをＣＡ  ＵＥに送達する。ＲＲＣ再設定メッセージは、第２のキャリアについての情報を含む。第２のキャリアについての情報は、第２のキャリアの周波数チャネル番号、または第２のキャリアを識別するための他の情報であってよい。ＲＲＣ再設定メッセージは、第２のキャリアを測定するためにＣＡ  ＵＥによって使用される。測定結果が測定閾値を満たすとき、第２のキャリアは、ＣＡ  ＵＥのＰＣＣとして使用される。
【０１３８】
段階２２０５：ＣＡ  ＵＥが、基地局によって送信されるＲＲＣ再設定メッセージを受信する。
【０１３９】
段階２２０６：ＣＡ  ＵＥが第２のキャリアを測定し、測定結果が測定閾値を満たすとき、第２のキャリアをＣＡ  ＵＥのＰＣＣとして使用する。
【０１４０】
具体的には、ＣＡ  ＵＥによって受信されたＲＲＣ再設定メッセージがただ１つの第２のキャリアを含む場合、ＣＡ  ＵＥは、ＲＲＣ再設定メッセージに含まれる第２のキャリアを測定する。測定結果が測定閾値を満たすとき、ＣＡ  ＵＥは、第２のキャリアをＰＣＣとして使用する。任意選択で、ＣＡ  ＵＥは、第２のキャリアをＰＣＣとして直接使用してよい。
【０１４１】
ＣＡ  ＵＥによって受信されたＲＲＣ再設定メッセージが少なくとも２つの第２のキャリアを含む場合、一方式において、ＣＡ  ＵＥは、ＲＲＣ再設定メッセージに含まれる全ての第２のキャリアから、測定結果が測定閾値を満たすいずれかの第２のキャリアを新しいＰＣＣとして選択し、別の方式においては、ＣＡ  ＵＥは、ＲＲＣ再設定メッセージに含まれる全ての第２のキャリアから、最も高い優先度を有し、かつ測定結果が測定閾値を満たす第２のキャリアをＰＣＣとして選択する。別の方式において、当該方法はさらに、各第２のキャリアの優先度を示すために使用される、基地局によって送信される指示情報をＣＡ  ＵＥが受信する段階を備える。
【０１４２】
ＣＡ  ＵＥが第１のキャリア上で基地局にキャンプオンすることを選んだとき、基地局は、第１のキャリアの優先度を取得することが分かる。第１のキャリアの優先度が第２のキャリアの優先度より低い場合、基地局は、ＲＲＣ再設定メッセージをＣＡ  ＵＥに送達する。ＲＲＣ再設定メッセージは、第２のキャリアについての情報を含む。ＣＡ  ＵＥは、第２のキャリアを測定する。測定結果が測定閾値を満たすとき、第２のキャリアは、ＣＡ  ＵＥのＰＣＣとして使用される。第１のキャリアおよび第２のキャリアは、ＣＡを実行する際にＣＡ  ＵＥをサポートできるキャリアである。このようにして、高い優先度を有するコンポーネントキャリアが、ＣＡ  ＵＥのキャンプオンプロセスの際のＣＡ  ＵＥのＰＣＣとして選択され、これにより、アクセス成功率、再確立成功率、コールドロップ率、ハンドオーバ成功率、およびユーザレートなどの指標において、ＣＡ  ＵＥの性能が改善される。ユーザエクスペリエンスもまた改善され、ネットワークのＫＰＩが改善される。
【０１４３】
図３ａは、本発明の一実施形態に係るキャリアアグリゲーション技術におけるキャリア選択基地局の概略構造図である。
【０１４４】
図３ａに示されるように、本発明の本実施形態は、キャリアアグリゲーション技術におけるキャリア選択基地局を提供する。キャリア選択基地局は、図１および／または図２ａに示される方法を実行するよう構成され、送受信ユニット３１０１および処理ユニット３１０２を備える。
【０１４５】
送受信ユニットは、ＣＡ  ＵＥによって報告される無線チャネル情報を取得するよう構成される。無線チャネル情報は、ＰＣＣの無線チャネル情報およびＳＣＣの無線チャネル情報を含む。
【０１４６】
処理ユニットは、ＳＣＣの無線チャネル情報がＰＣＣの無線チャネル情報より大きいとき、送受信ユニットを使用することによってＲＲＣ再設定メッセージをＣＡ  ＵＥに送信するよう構成される。ＲＲＣ再設定メッセージは、ＳＣＣを新しいＰＣＣとして使用するためにＣＡ  ＵＥによって使用される。
【０１４７】
任意選択で、ＳＣＣの無線チャネル情報がＰＣＣの無線チャネル情報より大きいことは、具体的に、第１の期間において、ＳＣＣの無線チャネル情報がＰＣＣの無線チャネル情報より大きいことである。
【０１４８】
任意選択で、ＳＣＣの無線チャネル情報がＰＣＣの無線チャネル情報より大きいことは、具体的に、第２の期間において、ＰＣＣの無線チャネル情報をＳＣＣの無線チャネル情報から減算した後に得られる値が閾値より大きいことである。
【０１４９】
任意選択で、無線チャネル情報は、ＣＱＩ、ＲＳＲＰ、または、ＲＳＲＱのうちのいずれか１つ、またはそれらの組み合わせである。
【０１５０】
任意選択で、ＲＲＣ再設定メッセージは、ＰＣＣを新しいＳＣＣとして使用するためにＣＡ  ＵＥによってさらに使用される。
【０１５１】
図３ｂは、本発明の一実施形態に係るキャリアアグリゲーション技術におけるキャリア選択ＣＡ  ＵＥの概略構造図である。
【０１５２】
同じ考えに基づいて、図３ｂに示されるように、本発明の本実施形態は、キャリアアグリゲーション技術におけるキャリア選択ＣＡ  ＵＥを提供する。キャリア選択ＣＡ  ＵＥは、図２ａに示される方法を実行するよう構成され、送受信ユニット３２０１および処理ユニット３２０２を備える。
【０１５３】
送受信ユニットは、無線チャネル情報を基地局に報告し、基地局によって送信されるＲＲＣ再設定メッセージを受信するよう構成される。ここで、無線チャネル情報はＰＣＣの無線チャネル情報およびＳＣＣの無線チャネル情報を含む。ＲＲＣ再設定メッセージは、ＳＣＣの無線チャネル情報がＰＣＣの無線チャネル情報より大きいと基地局が決定したとき、基地局によって送信される。
【０１５４】
処理ユニットは、ＳＣＣを新しいＰＣＣとして使用するよう構成される。
【０１５５】
ＣＡ  ＵＥによって報告されるＰＣＣの無線チャネル情報およびＳＣＣの無線チャネル情報を基地局が取得することが分かる。ＳＣＣの無線チャネル情報がＰＣＣの無線チャネル情報より大きいとき、基地局は、ＲＲＣ再設定メッセージをＣＡ  ＵＥに送信し、これにより、ＣＡ  ＵＥはＳＣＣを新しいＰＣＣとして使用する。このようにして、より良いキャリアがＰＣＣとして選択され、これにより、ＣＡ  ＵＥの性能が改善される。
【０１５６】
図３ｃは、本発明の一実施形態に係るキャリアアグリゲーション技術におけるキャリア選択基地局の概略構造図である。
【０１５７】
同じ考えに基づいて、図３ｃに示されるように、本発明の本実施形態は、キャリアアグリゲーション技術におけるキャリア選択基地局を提供する。キャリア選択基地局は、送受信ユニット３３０１および処理ユニット３３０２を備える。
【０１５８】
処理ユニットは、ＣＡ  ＵＥのＰＣＣの優先度およびＣＡ  ＵＥのＳＣＣの優先度を取得するよう構成される。複数の方式が具体的に含まれてよい。一方式において、ＰＣＣの優先度およびＳＣＣの優先度は基地局に予め格納され、基地局は、必要に応じて、処理ユニットを使用することによって、予め格納されたＰＣＣの優先度および予め格納されたＳＣＣの優先度を読み出す。別の代替方式において、基地局はさらに、取得ユニット３３０３を備える。ＰＣＣの優先度およびＳＣＣの優先度は、別のネットワークデバイスに格納される。基地局は、必要に応じて、取得ユニットを使用することによって、ＣＡ  ＵＥのＰＣＣの優先度およびＣＡ  ＵＥのＳＣＣの優先度を取得する。
【０１５９】
処理ユニットはさらに、ＳＣＣの優先度がＰＣＣの優先度より高いとき、送受信ユニットを使用することによってＲＲＣ再設定メッセージをＣＡ  ＵＥに送信するよう構成される。ＲＲＣ再設定メッセージは、ＳＣＣを新しいＰＣＣとして使用するためにＣＡ  ＵＥによって使用される。
【０１６０】
任意選択で、優先度は、キャリアの帯域幅および／または周波数帯域にしたがって決定される。
【０１６１】
任意選択で、ＲＲＣ再設定メッセージは、ＰＣＣを新しいＳＣＣとして使用するためにＣＡ  ＵＥによってさらに使用される。
【０１６２】
任意選択で、ＲＲＣ再設定メッセージは、少なくとも２つのＳＣＣについての情報を含む。
【０１６３】
送受信ユニットはさらに、ＣＡ  ＵＥが、各ＳＣＣを測定し、測定結果が測定閾値を満たすＳＣＣの中で最も高い優先度を有するＳＣＣを新しいＰＣＣとして使用するよう、各ＳＣＣの優先度を示すために使用される指示情報をＣＡ  ＵＥに送信するよう構成される。任意選択で、各ＳＣＣの優先度を示す指示情報は、少なくとも２つのＳＣＣを含むＲＲＣ再設定メッセージに含まれる。
【０１６４】
図３ｄは、本発明の一実施形態に係るキャリアアグリゲーション技術におけるキャリア選択ＣＡ  ＵＥの概略構造図である。
【０１６５】
同じ考えに基づいて、図３ｄに示されるように、本発明の本実施形態は、キャリアアグリゲーション技術におけるキャリア選択ＣＡ  ＵＥを提供する。キャリア選択ＣＡ  ＵＥは、送受信ユニット３４０１および処理ユニット３４０２を備える。
【０１６６】
送受信ユニットは、基地局によって送信されるＲＲＣ再設定メッセージを受信するよう構成される。ＲＲＣ再設定メッセージは、ＳＣＣの優先度がＰＣＣの優先度より高いと基地局が決定したとき、基地局によって送信される。
【０１６７】
処理ユニットは、ＳＣＣを新しいＰＣＣとして使用するよう構成される。
【０１６８】
任意選択で、優先度は、キャリアの帯域幅および／または周波数帯域にしたがって決定される。
【０１６９】
任意選択で、処理ユニットはさらに、ＰＣＣを新しいＳＣＣとして使用するよう構成される。
【０１７０】
任意選択で、ＲＲＣ再設定メッセージは、少なくとも２つのＳＣＣについての情報を含む。
【０１７１】
送受信ユニットはさらに、各ＳＣＣの優先度を示すために使用される、基地局によって送信される指示情報を受信するよう構成される。
【０１７２】
処理ユニットは具体的に、各ＳＣＣを測定し、測定結果が測定閾値を満たすＳＣＣの中の最も高い優先度を有するＳＣＣを新しいＰＣＣとして使用するよう構成される。
【０１７３】
ＣＡ  ＵＥのＰＣＣの優先度およびＣＡ  ＵＥのＳＣＣの優先度が取得されることが分かる。ＳＣＣの優先度がＰＣＣの優先度より高いとき、送受信ユニットを使用することによって、ＲＲＣ再設定メッセージはＣＡ  ＵＥに送信される。ＲＲＣ再設定メッセージは、ＳＣＣを新しいＰＣＣとして使用するためにＣＡ  ＵＥによって使用される。このようにして、ＣＡ  ＵＥのキャンプオンプロセスにおいて、高い優先度を有するコンポーネントキャリアがＣＡ  ＵＥのＰＣＣとして選択され、これにより、ＣＡ  ＵＥの性能が改善される。
【０１７４】
図３ｅは、本発明の一実施形態に係るキャリアアグリゲーション技術におけるキャリア選択基地局の概略構造図である。
【０１７５】
図３ｅに示されるように、本発明の本実施形態は、キャリアアグリゲーション技術におけるキャリア選択基地局を提供する。キャリア選択基地局は、図２ｂに示される方法を実行するよう構成され、送受信ユニット３５０１および処理ユニット３５０２を備える。
【０１７６】
処理ユニットは、ＣＡ  ＵＥが第１のキャリア上で基地局へのＲＲＣ接続を確立したとき、第１のキャリアの優先度を取得するよう構成される。複数の方式が具体的に含まれる。一方式において、第１のキャリアの優先度は基地局に予め格納され、基地局は、必要に応じて、処理ユニットを使用することによって、予め格納された第１のキャリアの優先度を読み出す。別の代替方式において、基地局はさらに取得ユニット３５０３を備え、第１のキャリアの優先度は別のネットワークデバイスに格納され、基地局は、必要に応じて、取得ユニットを使用することによって、ＣＡ  ＵＥの第１のキャリアの優先度を取得する。
【０１７７】
処理ユニットはさらに、第１のキャリアの優先度が第２のキャリアの優先度より低い場合、送受信ユニットを使用することによってＲＲＣ再設定メッセージをＣＡ  ＵＥに送達するよう構成され、ここで、ＲＲＣ再設定メッセージは第２のキャリアについての情報を含み、ＲＲＣ再設定メッセージは、第２のキャリアを測定するためにＣＡ  ＵＥによって使用され、また、処理ユニットは、測定結果が測定閾値を満たすとき、第２のキャリアをＣＡ  ＵＥのＰＣＣとして使用するよう構成され、ここで、第１のキャリアおよび第２のキャリアは、ＣＡを実行する際にＣＡ  ＵＥをサポートできるキャリアである。
【０１７８】
任意選択で、優先度は、キャリアの帯域幅および／または周波数帯域にしたがって決定される。
【０１７９】
任意選択で、処理ユニットはさらに、ＲＲＣ再設定メッセージがＣＡ  ＵＥに送達される前に、第２のキャリアの優先度を取得するよう構成される。
【０１８０】
任意選択で、ＲＲＣ再設定メッセージは、少なくとも２つの第２のキャリアについての情報を含む。
【０１８１】
送受信ユニットはさらに、ＣＡ  ＵＥが、各第２のキャリアを測定し、測定結果が測定閾値を満たす第２のキャリアの中の最も高い優先度を有する第２のキャリアを新しいＰＣＣとして使用するよう、各第２のキャリアの優先度を示すために使用される指示情報をＣＡ  ＵＥに送信するよう構成される。
【０１８２】
図３ｆは、本発明の一実施形態に係るキャリアアグリゲーション技術におけるキャリア選択ＣＡ  ＵＥの概略構造図である。
【０１８３】
同じ考えに基づいて、図３ｆに示されるように、本発明の本実施形態は、キャリアアグリゲーション技術におけるキャリア選択ＣＡ  ＵＥを提供する。キャリア選択ＣＡ  ＵＥは、図２ｂに示される方法を実行するよう構成され、送受信ユニット３６０１および処理ユニット３６０２を備える。
【０１８４】
送受信ユニットは、基地局によって送達されるＲＲＣ再設定メッセージを受信するよう構成される。基地局が、第１のキャリアの優先度を取得し、第１のキャリアの優先度が第２のキャリアの優先度より低いと決定したとき、ＲＲＣ再設定メッセージは基地局によって送信され、ＲＲＣ再設定メッセージは、第２のキャリアについての情報を含む。
【０１８５】
処理ユニットは、第１のキャリア上で基地局へのＲＲＣ接続が確立されたとき、第２のキャリアを測定し、測定結果が測定閾値を満たすとき、第２のキャリアをＣＡ  ＵＥのＰＣＣとして使用するよう構成される。第１のキャリアおよび第２のキャリアは、ＣＡを実行する際にＣＡ  ＵＥをサポートできるキャリアである。
【０１８６】
任意選択で、優先度は、キャリアの帯域幅および／または周波数帯域にしたがって決定される。
【０１８７】
ＲＲＣ再設定メッセージは、少なくとも２つの第２のキャリアについての情報を含む。
【０１８８】
送受信ユニットはさらに、各第２のキャリアの優先度を示すために使用される、基地局によって送信される指示情報を受信するよう構成される。
【０１８９】
処理ユニットは具体的に、各第２のキャリアを測定し、測定結果が測定閾値を満たす第２のキャリアの中の最も高い優先度を有する第２のキャリアを新しいＰＣＣとして使用するよう構成される。
【０１９０】
ＣＡ  ＵＥが第１のキャリア上で基地局にキャンプオンすることを選んだとき、基地局は、第１のキャリアの優先度を取得することが分かる。第１のキャリアの優先度が第２のキャリアの優先度より低い場合、基地局は、ＲＲＣ再設定メッセージをＣＡ  ＵＥに送達する。ＲＲＣ再設定メッセージは、第２のキャリアについての情報を含む。ＣＡ  ＵＥは、第２のキャリアを測定する。測定結果が測定閾値を満たすとき、第２のキャリアは、ＣＡ  ＵＥのＰＣＣとして使用される。第１のキャリアおよび第２のキャリアは、ＣＡを実行する際にＣＡ  ＵＥをサポートできるキャリアである。このようにして、ＣＡ  ＵＥのキャンプオンプロセスにおいて、高い優先度を有するコンポーネントキャリアがＣＡ  ＵＥのＰＣＣとして選択され、これにより、ＣＡ  ＵＥの性能が改善される。
【０１９１】
図４ａは、本発明の一実施形態に係るキャリアアグリゲーション技術におけるキャリア選択基地局の概略構造図である。
【０１９２】
同じ考えに基づいて、図４ａに示されるように、本発明の本実施形態は、キャリアアグリゲーション技術におけるキャリア選択基地局を提供する。キャリア選択基地局は、送受信機４１０１、プロセッサ４１０２、およびメモリ４１０３を備える。
【０１９３】
プロセッサは、メモリ内のプログラムを読み出して、図１および／または図２ａに示される方法を実行するよう構成される。
【０１９４】
図４ｂは、本発明の一実施形態に係るキャリアアグリゲーション技術におけるキャリア選択ＣＡ  ＵＥの概略構造図である。
【０１９５】
同じ考えに基づいて、図４ｂに示されるように、本発明の本実施形態は、キャリアアグリゲーション技術におけるキャリア選択ＣＡ  ＵＥを提供する。キャリア選択ＣＡ  ＵＥは、送受信機４２０１、プロセッサ４２０２、メモリ４２０３、およびユーザインタフェース４２０４を備える。
【０１９６】
プロセッサは、メモリ内のプログラムを読み出して、図２ａに示される方法を実行するよう構成される。
【０１９７】
図４ｃは、本発明の一実施形態に係るキャリアアグリゲーション技術におけるキャリア選択基地局の概略構造図である。
【０１９８】
同じ考えに基づいて、図４ｃに示されるように、本発明の本実施形態は、キャリアアグリゲーション技術におけるキャリア選択基地局を提供する。キャリア選択基地局は、送受信機４３０１、プロセッサ４３０２、およびメモリ４３０３を備える。
【０１９９】
プロセッサは、メモリ内のプログラムを読み出して、ＣＡ  ＵＥのＰＣＣの優先度およびＣＡ  ＵＥのＳＣＣの優先度を取得する手順を実行するよう構成される。複数の方式が具体的に含まれてよい。一方式において、ＰＣＣの優先度およびＳＣＣの優先度は基地局に予め格納され、基地局は、必要に応じて、プロセッサを使用することによって、予め格納されたＰＣＣの優先度および予め格納されたＳＣＣの優先度を読み出す。別の代替方式において、基地局はさらにネットワークインタフェース４３０４を含み、ＰＣＣの優先度およびＳＣＣの優先度は別のネットワークデバイスに格納され、基地局は、必要に応じて、ネットワークインタフェース使用することによって、ＣＡ  ＵＥのＰＣＣの優先度およびＣＡ  ＵＥのＳＣＣの優先度を取得する。
【０２００】
ＳＣＣの優先度がＰＣＣの優先度より高いとき、送受信ユニットを使用することによって、ＲＲＣ再設定メッセージはＣＡ  ＵＥに送信される。ＲＲＣ再設定メッセージは、ＳＣＣを新しいＰＣＣとして使用するためにＣＡ  ＵＥによって使用される。
【０２０１】
任意選択で、優先度は、キャリアの帯域幅および／または周波数帯域にしたがって決定される。任意選択で、各ＳＣＣの優先度を示す指示情報は、少なくとも２つのＳＣＣを含むＲＲＣ再設定メッセージに含まれる。
【０２０２】
図４ｄは、本発明の一実施形態に係るキャリアアグリゲーション技術におけるキャリア選択ＣＡ  ＵＥの概略構造図である。
【０２０３】
同じ考えに基づいて、図４ｄに示されるように、本発明の本実施形態は、キャリアアグリゲーション技術におけるキャリア選択ＣＡ  ＵＥを提供する。キャリア選択ＣＡ  ＵＥは、送受信機４４０１、プロセッサ４４０２、メモリ４４０３、およびユーザインタフェース４４０４を備える。
【０２０４】
プロセッサは、メモリ内のプログラムを読み出して、基地局によって送信されるＲＲＣ再設定メッセージを受信する手順であって、ＲＲＣ再設定メッセージは、ＳＣＣの優先度がＰＣＣの優先度より高いと基地局が決定したときに基地局によって送信される、手順と、ＳＣＣを新しいＰＣＣとして使用する手順とを実行するよう構成される。
【０２０５】
図４ｅは、本発明の一実施形態に係るキャリアアグリゲーション技術におけるキャリア選択基地局の概略構造図である。
【０２０６】
同じ考えに基づいて、図４ｅに示されるように、本発明の本実施形態は、キャリアアグリゲーション技術におけるキャリア選択基地局を提供する。キャリア選択基地局は、送受信機４５０１、プロセッサ４５０２、およびメモリ４５０３を備える。
【０２０７】
プロセッサは、メモリ内のプログラムを読み出して、図２ｂに示される方法を実行するよう構成される。
【０２０８】
この解決手段において、プロセッサが図２ｂに示される方法を実行するとき、プロセッサ４５０２は、ＣＡ  ＵＥが第１のキャリア上で基地局へのＲＲＣ接続を確立したとき、第１のキャリアの優先度を取得するよう構成される。この段階は具体的に、複数の方式を含む。一方式において、第１のキャリアの優先度は基地局に予め格納され、基地局は、必要に応じて、プロセッサを使用することによって、予め格納された第１のキャリアの優先度を読み出す。別の代替方式において、基地局はさらにネットワークインタフェース４５０４を含み、第１のキャリアの優先度は別のネットワークデバイスに格納され、基地局は、必要に応じて、ネットワークインタフェースを使用することによってＣＡ  ＵＥの第１のキャリアの優先度を取得する。
【０２０９】
図４ｆは、本発明の一実施形態に係るキャリアアグリゲーション技術におけるキャリア選択ＣＡ  ＵＥの概略構造図である。
【０２１０】
同じ考えに基づいて、図４ｆに示されるように、本発明の本実施形態は、キャリアアグリゲーション技術におけるキャリア選択ＣＡ  ＵＥを提供する。キャリア選択ＣＡ  ＵＥは、送受信機４６０１、プロセッサ４６０２、メモリ４６０３、およびユーザインタフェース４６０４を備える。
【０２１１】
プロセッサは、メモリ内のプログラムを読み出して、図２ｂに示される方法を実行するよう構成される。
【０２１２】
当業者は、本発明の実施形態が、方法またはコンピュータプログラム製品として提供されてよいことを理解するはずである。ゆえに、本発明は、ハードウェアのみの実施形態、ソフトウェアのみの実施形態、またはソフトウェアとハードウェアとの組み合わせを有する実施形態の形を使用し得る。さらに、本発明は、コンピュータ利用可能プログラムコードを含む１または複数のコンピュータ利用可能記憶媒体（限定されないが、ディスクメモリ、ＣＤ−ＲＯＭ、光メモリ、および同様のものを含む）において実装されるコンピュータプログラム製品の形を使用し得る。
【０２１３】
本発明は、本発明の実施形態に係る方法、デバイス（システム）、およびコンピュータプログラム製品のフローチャートおよび／またはブロック図に関連して説明されている。コンピュータプログラム命令が、フローチャートおよび／またはブロック図の各プロセスおよび／または各ブロック、ならびに、フローチャートおよび／またはブロック図のプロセスおよび／またはブロックの組み合わせを実装するために使用され得ることを理解されたい。これらのコンピュータプログラム命令は、マシンを生成すべく、汎用コンピュータ、専用コンピュータ、組み込みプロセッサ、または任意の他のプログラム可能なデータ処理デバイスのプロセッサに提供されてよく、これにより、コンピュータ、または任意の他のプログラム可能なデータ処理デバイスのプロセッサによって実行される命令は、フローチャートの１または複数のプロセスにおける、および／またはブロック図の１または複数のブロックにおける特定の機能を実装するためのデバイスを生成する。
【０２１４】
これらのコンピュータプログラム命令はまた、コンピュータ可読メモリに格納されてよく、コンピュータ可読メモリは、特定の方式で動作するようコンピュータまたは任意の他のプログラム可能なデータ処理デバイスに命令でき、これにより、コンピュータ可読メモリに格納された命令は、命令デバイスを含むアーチファクトを生成する。命令デバイスは、フローチャートの１または複数のプロセス、および／またはブロック図の１または複数のブロックにおける特定の機能を実装する。
【０２１５】
これらのコンピュータプログラム命令は、コンピュータまたは別のプログラム可能データ処理デバイスにロードされてよく、これにより、一連のオペレーションおよび段階は、コンピュータまたは別のプログラム可能デバイスにおいて実行され、それにより、コンピュータ実装処理を生成する。ゆえに、コンピュータまたは別のプログラム可能デバイスにおいて実行された命令は、フローチャートの１または複数のプロセス、および／またはブロック図の１または複数のブロックにおける特定の機能を実装するための段階を提供する。
【０２１６】
本発明のいくつかの実施形態が説明されたが、当業者であれば、ひとたび基本的な発明のコンセプトを学習すれば、これらの実施形態に変更および修正を施すことができる。ゆえに、以下の特許請求の範囲は、実施形態ならびに本発明の範囲に含まれる全ての変更および修正を網羅するものと解釈されるよう意図されている。
【０２１７】
当業者であれば、本発明の範囲から逸脱することなく、本発明に様々な修正および変形を施すことができることは明らかである。本発明は、それらの修正および変形が以下の特許請求の範囲およびその均等技術によって定義される保護範囲に含まれるならば、当該修正および変形を網羅するよう意図されている。
［項目１］
キャリアアグリゲーション技術におけるキャリア選択方法であって、
キャリアアグリゲーションＣＡユーザ機器ＵＥによって報告される無線チャネル情報を基地局が取得する段階であって、上記無線チャネル情報は、プライマリコンポーネントキャリアＰＣＣの無線チャネル情報およびセカンダリコンポーネントキャリアＳＣＣの無線チャネル情報を含む、段階と、
上記ＳＣＣの上記無線チャネル情報が上記ＰＣＣの上記無線チャネル情報より大きいとき、無線リソース制御ＲＲＣ再設定メッセージを上記基地局が上記ＣＡ  ＵＥに送信する段階であって、上記ＲＲＣ再設定メッセージは、上記ＳＣＣを新しいＰＣＣとして使用するために上記ＣＡ  ＵＥによって使用される、段階と
を備える方法。
［項目２］
上記ＳＣＣの上記無線チャネル情報が上記ＰＣＣの上記無線チャネル情報より大きいことは、具体的に、
第１の期間において、上記ＳＣＣの上記無線チャネル情報が、上記ＰＣＣの上記無線チャネル情報より大きいことである、
項目１に記載の方法。
［項目３］
上記ＳＣＣの上記無線チャネル情報が上記ＰＣＣの上記無線チャネル情報より大きいことは、具体的に、
第２の期間において、上記ＰＣＣの上記無線チャネル情報を上記ＳＣＣの上記無線チャネル情報から減算した後に得られる値が閾値より大きいことである、
項目１に記載の方法。
［項目４］
上記無線チャネル情報は、
チャネル品質指標ＣＱＩ、基準信号受信電力ＲＳＲＰ、または基準信号受信品質ＲＳＲＱ
のうちのいずれか１つ、またはそれらの組み合わせである、
項目１から３の何れか一項に記載の方法。
［項目５］
上記ＲＲＣ再設定メッセージが、上記ＰＣＣを新しいＳＣＣとして使用するために上記ＣＡ  ＵＥによってさらに使用されることをさらに備える、項目１から４の何れか一項に記載の方法。
［項目６］
キャリアアグリゲーション技術におけるキャリア選択基地局であって、
キャリアアグリゲーションＣＡユーザ機器ＵＥによって報告される無線チャネル情報を取得するよう構成される送受信ユニットであって、上記無線チャネル情報は、プライマリコンポーネントキャリアＰＣＣの無線チャネル情報およびセカンダリコンポーネントキャリアＳＣＣの無線チャネル情報を含む、送受信ユニットと、
上記ＳＣＣの上記無線チャネル情報が上記ＰＣＣの上記無線チャネル情報より大きいとき、上記送受信ユニットを使用することによって、無線リソース制御ＲＲＣ再設定メッセージを上記ＣＡ  ＵＥに送信するよう構成される処理ユニットであって、上記ＲＲＣ再設定メッセージは、上記ＳＣＣを新しいＰＣＣとして使用するために上記ＣＡ  ＵＥによって使用される、処理ユニットと
を備える基地局。
［項目７］
上記ＳＣＣの上記無線チャネル情報が上記ＰＣＣの上記無線チャネル情報より大きいことは、具体的に、
第１の期間において、上記ＳＣＣの上記無線チャネル情報が上記ＰＣＣの上記無線チャネル情報より大きいことである、
項目６に記載の基地局。
［項目８］
上記ＳＣＣの上記無線チャネル情報が上記ＰＣＣの上記無線チャネル情報より大きいことは、具体的に、
第２の期間において、上記ＰＣＣの上記無線チャネル情報を上記ＳＣＣの上記無線チャネル情報から減算した後に得られる値が閾値より大きいことである、
項目６に記載の基地局。
［項目９］
上記無線チャネル情報は、
チャネル品質指標ＣＱＩ、基準信号受信電力ＲＳＲＰ、または基準信号受信品質ＲＳＲＱ
のうちのいずれか１つ、またはそれらの組み合わせである、
項目６から８のいずれか一項に記載の基地局。
［項目１０］
上記ＲＲＣ再設定メッセージは、上記ＰＣＣを新しいＳＣＣとして使用するために上記ＣＡ  ＵＥによってさらに使用される、項目６から９のいずれか一項に記載の基地局。
［項目１１］
キャリアアグリゲーション技術におけるキャリア選択基地局であって、
メモリ内のプログラムを読み出して、
キャリアアグリゲーションＣＡユーザ機器ＵＥによって報告される無線チャネル情報を、送受信機を使用することによって取得する手順であって、上記無線チャネル情報は、プライマリコンポーネントキャリアＰＣＣの無線チャネル情報およびセカンダリコンポーネントキャリアＳＣＣの無線チャネル情報を含む、手順と、
上記ＳＣＣの上記無線チャネル情報が上記ＰＣＣの上記無線チャネル情報より大きいとき、上記送受信機を使用することによって、無線リソース制御ＲＲＣ再設定メッセージを上記ＣＡ  ＵＥに送信する手順であって、上記ＲＲＣ再設定メッセージは、上記ＳＣＣを新しいＰＣＣとして使用するために上記ＣＡ  ＵＥによって使用される、手順と
を実行するよう構成されるプロセッサ
を備える基地局。
［項目１２］
上記ＳＣＣの上記無線チャネル情報が上記ＰＣＣの上記無線チャネル情報より大きいことは、具体的に、
第１の期間において、上記ＳＣＣの上記無線チャネル情報が上記ＰＣＣの上記無線チャネル情報より大きいことである、
項目１１に記載の基地局。
［項目１３］
上記ＳＣＣの上記無線チャネル情報が上記ＰＣＣの上記無線チャネル情報より大きいことは、具体的に、
第２の期間において、上記ＰＣＣの上記無線チャネル情報を上記ＳＣＣの上記無線チャネル情報から減算した後に得られる値が閾値より大きいことである、
項目１１に記載の基地局。
［項目１４］
上記無線チャネル情報は、
チャネル品質指標ＣＱＩ、基準信号受信電力ＲＳＲＰ、または基準信号受信品質ＲＳＲＱ
のうちのいずれか１つ、またはそれらの組み合わせである、
項目１１から１３のいずれか一項に記載の基地局。
［項目１５］
上記ＲＲＣ再設定メッセージは、上記ＰＣＣを新しいＳＣＣとして使用するために上記ＣＡ  ＵＥによってさらに使用される、項目１１から１４のいずれか一項に記載の基地局。
【図１】
0006541289.tif 000002
【図２ａ】
0006541289.tif 000003
【図２ｂ】
0006541289.tif 000004
【図３ａ】
0006541289.tif 000005
【図３ｂ】
0006541289.tif 000006
【図３ｃ】
0006541289.tif 000007
【図３ｄ】
0006541289.tif 000008
【図３ｅ】
0006541289.tif 000009
【図３ｆ】
0006541289.tif 000010
【図４ａ】
0006541289.tif 000011
【図４ｂ】
0006541289.tif 000012
【図４ｃ】
0006541289.tif 000013
【図４ｄ】
0006541289.tif 000014
【図４ｅ】
0006541289.tif 000015
【図４ｆ】
0006541289.tif 000016